(57)【要約】【課題】下水等の再生水ろ過時に、不快害虫の幼虫やろ材の摩耗クズが、処理水側へ流出するのを防止するセイフティースクリーンの洗浄装置を提供する。【解決手段】ろ過槽（１）にろ液の集水室（４）を設け、集水室（４）の上部に配設した処理水室（５）の底部開口に、円筒状のスクリーン（６）を回転自在に吊設して、スクリーン（６）のろ過面を集水室（４）に垂下させると共に、集水室（４）に挿入した吸込管（１１）の集水口（１２）をスクリーン（６）の外周面に対設したもので、集水室（４）に流入したユスリカ等の不快害虫の幼虫やろ材の摩耗クズをスクリーン（５）で捕捉して、ろ過運転を継続しながら処理水室（６）の背圧を利用して分離水の一部を逆流させ、吸込管１１の集水口（１２）から不快害虫の幼虫等を排出する。【選択図】　　　図１
2004073920.tif 000002
【特許請求の範囲】
【請求項１】
密閉状のろ過槽（１）の底部から供給した原水を、ろ材層（３）で固液分離を行なって、ろ過槽（１）の頂部からろ液を取出すろ過装置において、上記ろ過槽（１）にろ液の集水室（４）を設け、集水室（４）の上部に配設した処理水室（５）の底部開口に、円筒状のスクリーン（６）を回転自在に吊設して、スクリーン（６）のろ過面を集水室（４）に垂下させると共に、集水室（４）に挿入した吸込管（１１）の集水口（１２）をスクリーン（６）の外周面に対設したことを特徴とするろ過機におけるセイフティースクリーンの洗浄装置。
【請求項２】
上記ろ過槽（１）の頂部に集水ノズル（２）を設け、その内部を集水室（４）としたことを特徴とする請求項１記載のろ過機におけるセイフティースクリーンの洗浄装置。
【請求項３】
上記スクリーン（６）が、保護金網（１５）に支持された金属ろ材（１６）を、一対のパンチングメタル（１７、１８）で挟持して、パンチングメタル（１７、１８）の目開きを集水室（４）側を処理水室（５）側より小さくしたことを特徴とする請求項１または２に記載のろ過機におけるセイフティースクリーンの洗浄装置。
【請求項４】
上記処理水室（５）の上部に支架した駆動機（９）の回転軸（１０）をスクリーン（６）の底部に連結して、スクリーン（６）を回転自在としたことを特徴とする請求項１乃至３の何れか１項に記載のろ過機におけるセイフティースクリーンの洗浄装置。
【請求項５】
上記吸込管（１１）に連結した逆洗水排水管（１４）にラインポンプ（１９）を配設したことを特徴とする請求項１乃至４の何れか１項に記載のろ過機におけるセイフティースクリーンの洗浄装置。
【発明の詳細な説明】
【０００１】
【発明の属する技術分野】
この発明は、下水等の再生水ろ過時に、不快害虫の幼虫やろ材の摩耗クズが、処理水側へ流出するのを防止するろ過機におけるセイフティースクリーンの洗浄装置に関する。
【０００２】
【従来の技術】
従来、砂ろ過装置は周知であり、樹脂性ろ材や繊維ろ材等を用いて上向流で固液分離を行なうろ過装置もよく知られている。樹脂ろ材や繊維ろ材等を用いたろ過装置は、ろ材の比重が軽く、目詰まりしたろ材層が容易に撹拌でき、洗浄水も少ない利点がある。ろ過槽に上向流で供給した原水を、粒状の発泡ろ材のろ材層で固液分離を行ない、集水ノズルからろ液を取出して、目詰まりしたろ材層を撹拌機で洗浄撹拌してろ材を再生する装置は、例えば、特開平９−１５５１１６号公報に記載してあるように、この発明の出願人が提案している。また、ろ過槽上部にろ材流出防止用の止水スクリーンを設け、集水した分離水側にスクリーンを設け、混入するユスリカの幼虫等を除去する装置も、例えば、特開２００２−１１３０５号公報に記載してあるように、この発明の出願人が提案している。
【０００３】
【発明が解決しようとする課題】
従来、動物プランクトンやユスリカの幼虫等の生物体は、ろ材層中を動くことにより、捕捉粒子径よりも大きいにもかかわらず、集水ノズルを通り抜け集水室に流入し、下水等の再生水ろ過時に、ユスリカ等の不快害虫の幼虫や樹脂性ろ材の摩耗クズが処理水側に流入していた。その対策として、細目のスクリーンを配設したろ過機にあっては、不快害虫の幼虫やろ材の摩耗クズの除去ができるものであるが、ろ過運転を停止してスクリーンに配設した洗浄管から洗浄水を噴射して、スクリーンの目詰まりを解消する必要があった。この発明は、上記のろ過装置を改良したもので、ろ過を中断することなく、セイフティースクリーンを自動的に洗浄できる洗浄装置を提供することを目的とする。
【０００４】
【課題を解決するための手段】
この発明の要旨は、密閉状のろ過槽の底部から供給した原水を、ろ材層で固液分離を行なって、ろ過槽の頂部からろ液を取出すろ過装置において、上記ろ過槽にろ液の集水室を設け、集水室の上部に配設した処理水室の底部開口に、円筒状のスクリーンを回転自在に吊設して、スクリーンのろ過面を集水室に垂下させると共に、集水室に挿入した吸込管の集水口をスクリーンの外周面に対設したもので、集水室に流入してきたユスリカ等の不快害虫の幼虫や樹脂性ろ材の摩耗クズを回転しているスクリーンで捕捉して、ろ過運転を継続しながら、吸込管の集水口から不快害虫の幼虫や摩耗クズを排出させることができる。
【０００５】
ろ過槽の集水室は、ろ過槽の頂部に集水ノズルを配設し、その内部を集水室とした集水ノズルに回転自在なスクリーンを垂下したもので、ろ過室を広くとることができる。不快害虫の幼虫やろ材の摩耗クズを捕捉するスクリーンは、保護金網に支持された金属ろ材を、パンチングメタルで挟持して、パンチングメタルの目開きを集水室側を処理水室側より小さくしたもので、補強したスクリーンに処理水室の背圧を受け易くしたものである。処理水室の上部に支架した駆動機の回転軸をスクリーンの底部に連結して、スクリーンを回転自在としたもので、処理水室の背圧を利用して処理水の一部を吸込管に流入させて、不快害虫の幼虫や摩耗クズを排出することができる。スクリーン前後に差圧が取れない時には、吸込管に連結した逆洗水排水管にラインポンプを配設すれば、不快害虫の幼虫や摩耗クズを吸引して排出することができる。
【０００６】
【発明の実施の形態】
この発明に係る装置は上記のように構成してあり、ろ過槽の槽底から供給した原水は、原水中に含まれる微細粒子をろ過層で捕捉させ、分離したろ液をろ過槽上部の集水室に流入させる。分離水とともに集水室に流入してきたユスリカ等の不快害虫の幼虫や樹脂性ろ材の摩耗クズをスクリーンで捕捉して、スクリーンから処理水室に流入させて、ろ過槽より処理水を排出する。スクリーンが捕捉した不快害虫の幼虫や摩耗クズで目詰まりした時には、ろ過運転を継続しながら、処理水側に背圧をかけると同時に、洗浄弁を開き大気解放すれば、ろ過された処理水の一部でスクリーンの洗浄が行なわれる。不快害虫の幼虫や摩耗クズが処理水とともに集水口から吸込管に流入し、洗浄水排水管から排出される。なお、配置上スクリーンの前後の差圧が取れない場合は、ラインポンプで吸引する。ろ材層が目詰まりしたときには、撹拌羽根や空気撹拌等でろ材層を撹拌すれば、ろ材層から分離された微細粒子を洗浄排水とともにろ過槽外に抜き出すことができる。所定時間後にろ過操作を開始すれば、再生されたろ材層から清澄なろ液を取出すことができる。
【０００７】
【実施例】
この発明を図面に基づき詳述すると、図１はろ過槽上部に設けたセイフティースクリーンの洗浄装置であって、密閉状のろ過槽１に樹脂性の粒状の発泡ろ材や繊維ろ材等が収納してある。ろ過槽１の頂部に集水ノズル２が設けてあり、集水ノズル２の開口はろ材が流出しない程度の大きさとしてある。ろ過槽１に上向流で原水を供給して、ろ過槽１の上部にろ材を浮上させてろ材層３を形成させて、原水中に含まれる微細粒子をろ材層３に捕捉させ、分離されたろ液を集水ノズル２の内部の集水室４に移送する。動物プランクトンやユスリカの幼虫等の生物体は、ろ材層３中を動くことにより、捕捉粒子径よりも大きいにもかかわらず、集水ノズル２を通り抜ける。また、目詰まりしたろ材層３を機械撹拌あるいは空気撹拌した時に、ろ材の摩耗クズが発生し、比重の軽いろ材クズが集水室に流入する。なお、集水室４はろ過槽１の上部に集水スクリーンを張設して、その上方を集水室としてもよいものである。また、ろ材層３は比重の大きい砂やアンスラサイトとしてもよいものである。
【０００８】
図１に示すように、ろ過槽１の頂部に配設した集水ノズル２の上部に処理水室５が配設してあり、処理水室５の底部の開口に周面をろ過面としたスクリーン６が回転可能に吊設してある。このスクリーン６は上部を処理水室５に解放して、底部を閉止してある。ろ液とともに集水室４に流入してきた不快害虫の幼虫や樹脂性ろ材の摩耗クズをスクリーン５で捕捉して、分離された処理水だけをスクリーン６の上部の処理水室５に流出させ、処理水室５に設けた処理水管７からろ過槽１外に処理水を抜出す。なお、符号８は処理水室５の底部の開口とスクリーン６の上端部の間に設けたメカニカルシールである。
【０００９】
処理水室５の上部に支架した駆動機９の回転軸１０がスクリーン６の底部に連結してあり、駆動機９でスクリーン６を回転可能としてある。集水ノズル２に吸込管１１が挿入してあり、吸込管１１の集水口１２が回転自在としたスクリーン６の外周面に対設してある。吸込管１１に洗浄弁１３を介して逆洗水排水管１４が連結してあり、逆洗水排水管１４をろ過槽１の下方に垂下してある。図２に示すように、スクリーン６は保護金網１５に支持された金属ろ材１６がパンチングメタル１７、１８で挟持してあり、集水ノズル２側のパンチングメタル１７の目開きを処理水室５側のパンチングメタル１８の目開きよりも小さくしてある。処理水室５から集水室４への背圧を受けやすくしてある。
【００１０】
スクリーン６が目詰まりした時には、ろ過運転を継続しながら、駆動機９でスクリーン６を回転させ、処理水室５に背圧をかけると同時に洗浄弁１３を開き大気解放する。処理水室６側の背圧と逆洗水排水管１４のサイホン作用により、処理水の一部が処理水室５から吸込管１１の集水口１２に吸引されて、スクリーン６で捕捉したＳＳ、ろ材クズ及び不快害虫の幼虫が集水口１２から吸込管１１に流入する。洗い流された不快害虫の幼虫等は洗浄水排水管１４から排出され、スクリーン６の目詰まり物が取除かれる。なお、配置上スクリーン６の前後の差圧が取れない場合は、逆洗水排水管１４の後段にラインポンプ１９を配設して、このラインポンプ１９で吸引すれば、スクリーン６の目詰まりが解消できる。そして、ろ材層３が目詰まりしたときには、撹拌羽根（図示せず）等でろ材層３を空気撹拌または機械撹拌すれば、ろ材層３から分離された微細粒子を洗浄排水とともにろ過槽１外に排出できる。
【００１１】
【発明の効果】
以上のように、この発明に係るろ過機におけるセイフティースクリーンの洗浄装置は、不快害虫の幼虫やろ材の摩耗クズが、処理水側へ流出するのを防止して、目詰まりするスクリーンをろ過を中断することなく洗浄することができる。即ち、従来のろ過装置では、処理水側に流入したユスリカ等の不快害虫の幼虫やろ材の摩耗クズは、細目のスクリーンを配設して捕捉し、ろ過運転を停止してスクリーンを洗浄する必要があったものであるが、この発明にあっては、ろ液の集水室の上部に配設した処理水室の底部開口に、周面をろ過面としたスクリーンを回転自在に吊設して集水室に垂下させ、集水室に挿入した吸込管の集水口をスクリーンの外周面に対設したもので、ろ液の集水室に流入してきたユスリカ等の不快害虫の幼虫や樹脂性ろ材の摩耗クズをスクリーンで捕捉して、ろ過運転を継続しながら分離水の一部を逆流させて、吸込管の集水口から不快害虫の幼虫等を排出することができる。
【００１２】
ろ過槽の頂部に集水ノズルを設け、その内部を集水室とすれば、ろ過室を広く取ることができる。スクリーンが、保護金網に支持された金属ろ材を、パンチングメタルで挟持して、パンチングメタルの目開きを集水室側を処理水室側より小さくしたもので、補強したスクリーンに処理水室の背圧を受け易くなるものである。処理水室の上部に支架した駆動機の回転軸をスクリーンの底部に連結して、スクリーンを回転自在としたもので、処理水側の背圧で吸込短管から不快害虫の幼虫や摩耗クズを排出することができる。スクリーンの前後に差圧が取れない時には、吸込管に連結した逆洗水排水管にラインポンプを配設すれば、不快害虫の幼虫や摩耗クズを排出することができる。
【図面の簡単な説明】
【図１】この発明に係るろ過機におけるセイフティースクリーンの洗浄装置の縦断面図である。
【図２】同じく、要部のスクリーンの縦断面図である。
【符号の説明】
１　ろ過槽
２　集水ノズル
３　ろ材層
４　集水室
５　処理水室
６　スクリーン
９　駆動機
１０　回転軸
１１　吸込管
１２　集水口
１４　逆洗水排水管
１５　保護金網
１６　金属ろ材
１７、１８　パンチングメタル
１９　ラインポンプ
【図１】
2004073920.tif 000003
【図２】
2004073920.tif 000004